(57)【要約】【課題】カホン等の打楽器に多くの弦を張設するような場合でも、容易に弦の調整を可能にすること。【解決手段】 弦１２１a、１２１bの一端を箱体１１０の上面側で固定する固定部１２３と、弦１２１a、１２１bの他端を箱体１１０の底面側で固定する固定部１２５と、弦の一端に接続され、固定部１２３、１２５の内部に設けられ打面１１７と直交する方向に開口を有するセルの内部を打面板１１７と直交する方向にスライドして弦を打面板１１７から離接する方向又は打面板１１７に接触する方向に移動させるスライド部と、弦１２１a、１２１bを打面１１７に対して固定した状態で支持する支持部１２８とを有する。スライド部に枢支されたボルトを回転させる操作ノブを有する。【選択図】図１
2011008040.tif 000002
【特許請求の範囲】
【請求項１】
内部が空洞の箱体の一方に設けられた打面の裏面に沿って張設した弦を調整し前記打面を叩打したときに発生する音を調整する打楽器の音調整装置であって、
前記弦の一端を前記箱体の上面側で固定する第１の固定部と、
前記弦の他端を前記箱体の底面側で固定する第２の固定部と、
前記弦の一端に接続され、前記第１又は第２の固定部の内部に設けられ前記打面と直交する方向に開口を有するセルの内部を前記打面と直交する方向にスライドして前記弦を前記打面から離接する方向又は前記打面に接触する方向に移動させるスライド部と、
前記弦に接続された前記スライド部に設けられたナット部と螺合するボルト部と、
一方が前記ナット部と螺合する前記ボルト部の他方に取り付けられ、前記箱体の外部から前記ボルトを回転させる操作部と、
前記弦を前記打面に対して固定した状態で支持する支持部と、
を備える打楽器の音調整装置。
【請求項２】
内部が空洞の箱体の一方に設けられた打面の裏面に沿って張設した弦を調整し前記打面を叩打したときに発生する音を調整する打楽器の音調整装置であって、
前記弦の一端を前記箱体の上面側で固定する第１の固定部と、
前記弦の他端を前記箱体の底面側で固定する第２の固定部と、
前記弦の一端に接続され、前記第１及び第２の固定部の内部に設けられ前記打面と直交する方向に開口を有するセルの内部を前記打面と直交する方向にスライドして前記弦を前記打面から離接する方向又は前記打面に接触する方向に移動させるスライド部と、
前記弦に接続された前記スライド部に設けられたナット部と螺合するボルト部と、
一方が前記ナット部と螺合する前記ボルト部の他方に取り付けられ、前記箱体の外部から前記ボルトを回転させる操作部と、
前記第１又は第２の固定部に設けられ、前記弦を前記打面に対して固定した状態で支持する支持部と、
を備える打楽器の音調整装置。
【請求項３】
前記第１及び第２の固定部の少なくとも一方の内部に設けられ前記打面と直交する方向に開口を有するセルの内部を前記打面と直交する方向にスライド部と、
前記スライド部に設けられ、前記スライド部のスライドにより前記打面から離接する方向又は前記打面に接触する方向に移動して前記打面を押圧する突起部と、
前記スライド部に設けられたナット部と螺合するボルト部と、
一方が前記ナット部と螺合する前記ボルト部の他方に取り付けられ、前記箱体の外部から前記ボルトを回転させる操作部と、
を備える請求項１又は２記載の打楽器の音調整装置。
【請求項４】
前記弦が接続されるスライド部と前記突起部が設けられるスライド部とを共通にし、１つのスライド部に前記弦と前記突起部とが設けられている請求項１から３の何れか一項に記載の打楽器の音調整装置。
【請求項５】
前記弦が接続されるスライド部とは独立しスライドするスライド部に前記突起部を設けた請求項１から３の何れか一項に記載の打楽器の音調整装置。
【発明の詳細な説明】
【技術分野】
【０００１】
本発明は、内部が空洞の箱体の側面に設けられた打面を叩打するなどして共鳴音を発生させる打楽器に係り、特に、当該打楽器から発生する音を調整するための音調整装置に関する。
【背景技術】
【０００２】
打楽器の一種として「カホン」と称するものが知られている（特許文献１及び特許文献２）。カホンは内部が空洞の箱体の側面に設けられた打面を叩打するなどして共鳴音を発生させるものであり、叩打する位置を変えることで様々な音を発生させることができる。さらに、打面の裏側に張設した弦の張力を調整することで独特の音を発生させることもできる。
【０００３】
打面の裏側に張設した弦の張力を調整するため装置の構造としては、箱体に設けた六角形状のボルトを回転させて弦の張力を調整するようにしたものがある。
【先行技術文献】
【特許文献】
【０００４】
【特許文献１】特開２００５‐２６６７３２号公報
【０００５】
【特許文献２】特開２００８‐５００５６５号公報
【発明の概要】
【発明が解決しようとする課題】
【０００６】
打面の裏側に張設した弦の張力を変えることにより打面を叩打したときの音が変わることから、音楽の種類や演奏方法に応じて弦の張力を調整して使用することができる。打面の裏側に張設する弦の本数が多いほど、打面を叩打したときに弦が発する音が大きくなることから、打面の裏側に複数本の弦を張設することが一般的であり、近年ではより多くの弦を設けたいという要望がある。
【０００７】
弦の張力を調整するための従来の構成は、一本の弦に対して設けられたペグやボルトを廻すことによって弦の張力を調整するものであるため、複数本の弦を張設しようとする場合はペグやボルトの数も多くなる。このような多くの弦を備えたカホンの弦の張力を調整しようとする場合は、各弦に儲けられたペグやボルトをそれぞれ操作しなければならず調整に時間がかかってしまう。
【０００８】
本発明は上記事情に鑑みてなされたもので、打面の裏側に多くの弦を張設するような場合でも、容易に弦の調整を可能にすることができる打楽器の音調整装置を提供することを目的とする。
【課題を解決するための手段】
【０００９】
本発明の打楽器の音調整装置は、内部が空洞の箱体の一方に設けられた打面の裏面に沿って張設した弦を調整し前記打面を叩打したときに発生する音を調整する打楽器の音調整装置であって、前記弦の一端を前記箱体の上面側で固定する第１の固定部と、前記弦の他端を前記箱体の底面側で固定する第２の固定部と、前記弦の一端に接続され、前記第１又は第２の固定部の内部に設けられ前記打面と直交する方向に開口を有するセルの内部を前記打面と直交する方向にスライドして前記弦を前記打面から離接する方向又は前記打面に接触する方向に移動させるスライド部と、前記弦に接続された前記スライド部に設けられたナット部と螺合するボルト部と、一方が前記ナット部と螺合する前記ボルト部の他方に取り付けられ、前記箱体の外部から前記ボルトを回転させる操作部と、前記弦を前記打面に対して固定した状態で支持する支持部とを備える。
【００１０】
上記構成によれば、弦が接続されたスライド部をスライドさせると、弦を打面から離接する方向又は密接する方向に移動させることができる。またスライド部をスライドさせると弦を緊張又は弛緩させることができる。これによって弦を打面から離接又は密接させたり、弦を緊張又は弛緩させたりして弦を調整することができる。そしてスライド部に複数の弦を接続すれば、複数本の弦の調整を一つのスライド部のスライドにより実現することができる。さらに、スライド部がボルトと螺合しているため、任意の位置でスライド部を安定的に位置決めすることができ、演奏中にスライド部が移動して弦の張力が変わることを防止することができる。
【００１１】
また本発明の打楽器の音調整装置は、内部が空洞の箱体の一方に設けられた打面の裏面に沿って張設した弦を調整し前記打面を叩打したときに発生する音を調整する打楽器の音調整装置であって、前記弦の一端を前記箱体の上面側で固定する第１の固定部と、前記弦の他端を前記箱体の底面側で固定する第２の固定部と、前記弦の一端に接続され、前記第１及び第２の固定部の内部に設けられ前記打面と直交する方向に開口を有するセルの内部を前記打面と直交する方向にスライドして前記弦を前記打面から離接する方向又は前記打面に接触する方向に移動させるスライド部と、前記弦に接続された前記スライド部に設けられたナット部と螺合するボルト部と、一方が前記ナット部と螺合する前記ボルト部の他方に取り付けられ、前記箱体の外部から前記ボルトを回転させる操作部と、前記第１又は第２の固定部に設けられ、前記弦を前記打面に対して固定した状態で支持する支持部と
を備える。
【００１２】
上記構成によれば、 弦が接続されたスライド部をスライドさせると、弦を打面から離接する方向又は密接する方向に移動させることができる。またスライド部をスライドさせると弦を緊張又は弛緩させることができる。これによって弦を打面から離接又は密接させたり、弦を緊張又は弛緩させたりして弦を調整することができる。そしてスライド部に複数の弦を接続すれば、複数本の弦の調整を一つのスライド部のスライドにより実現することができる。
【００１３】
さらに、スライド部がボルトと螺合しているため、任意の位置でスライド部を安定的に位置決めすることができ、演奏中にスライド部が移動して弦の張力が変わることを防止することができる。また２つのスライド部の組み合わせにより、弦を打面に密接させた状態で弦を緊張又は弛緩させたり、弦を打面から離接させた状態で弦を緊張又は弛緩させたりし、弦を多様に調整することができる。
【００１４】
本発明において、前記第１及び第２の固定部の少なくとも一方の内部に設けられ前記打面と直交する方向に開口を有するセルの内部を前記打面と直交する方向にスライド部と、前記スライド部に設けられ、前記スライド部のスライドにより前記打面から離接する方向又は前記打面に接触する方向に移動して前記打面を押圧する突起部と、前記スライド部に設けられたナット部と螺合するボルト部と、一方が前記ナット部と螺合する前記ボルト部の他方に取り付けられ、前記箱体の外部から前記ボルトを回転させる操作部と、を備えることができる。
【００１５】
上記構成によれば、打面を押圧する突起部を打面から離接する方向又は接触する方向にスライドさせることにより、打面を箱体の外側に撓ませることができ、弦が必要以上に打面に密接することを防止することができる。また、突起部が接触する部分の打面には多くに張力が加わるめ、この部分を叩打したときに発生する音の質を打面の他の部分を叩打したときの音の質と変えることができる。したがって打面を押圧する量を変えることで、多様な音を発生させることができ、かつ操作ノブをまわすだけで押圧する量を変えることができるため、演奏中の調整も容易に行うことができる。また、スライド部がボルトと螺合しているため、
任意の位置でスライド部を安定的に位置決めすることができ、演奏中にスライド部が移動して打面の押圧量が変わることを防止することができる。  
【００１６】
さらに本発明において、前記弦が接続されるスライド部と前記突起部が設けられるスライド部とを共通にし、１つのスライド部に前記弦と前記突起部とが設けられるようにすることができる。このように突起部と弦とを同時に動かす構成にすることにより、突起部と弦を一つの操作ノブでスライドさせることができる。さらに、突起部の突出高さを調整し、弦が打面に接触する寸前に突起が打面に接触するように設けることで、人為的な操作により必要以上に弦と打面とが密接することを防ぐことができる。
【００１７】
さらに本発明において、前記弦が接続されるスライド部とは独立しスライドするスライド部に前記突起部を設けるようにすることができる。この構成によれば、
人為的な操作により必要以上に弦と打面とが密接することを防ぐことができるとともに、突起部のみが設けられたスライド部をスライドさせて打面を押すことができ、打面の張力を部分的に変えることができる。
【発明の効果】
【００１８】
本発明によれば、弦が接続されたスライド部をスライドさせると、弦を打面から離接する方向又は密接する方向に移動させることができる。またスライド部をスライドさせると弦を緊張又は弛緩させることができる。これによって弦を打面から離接又は密接させたり、弦を緊張又は弛緩させたりして弦を調整することができる。そしてスライド部に複数の弦を接続すれば、複数本の弦の調整を一つのスライド部のスライドにより実現することができる。
【図面の簡単な説明】
【００１９】
【図１】本発明の音調整装置が搭載される打楽器の一実施の形態を示す斜視図である。
【図２】図１に示した打楽器の背面構造を示す図である。
【図３】弦の動きを説明するための図である。
【図４】弦の動きを説明するための図である。
【図５】固定部のセル内に設けられた突起部の動きを説明するための図であり、（A）は突起部と打面とが接触した状態を示す図、（B）は突起部と打面とが離接した状態を示す図である。
【図６】本発明の音調整装置が搭載される打楽器の他の実施の形態を示す斜視図である。
【図７】本発明の音調整装置が搭載される打楽器の他の実施の形態を示す斜視図である。
【発明を実施するための形態】
【００２０】
図１は本発明に係る音調整装置を搭載した打楽器の外観を示す斜視図である。図１に示すように、打楽器１００は内部が空洞の箱体１１０と、箱体１１０の内部に搭載される音調整装置１２０とを有する。箱体                                                                                          １１０は、上面板１１１、底面板１１３、側面板１１５、打面板１１７及びサウンドホールと称する音出力用開口を有する背面板１１９で構成され、打面板１１７は皿ネジ１１９により箱体１１０に取り付けられている。打面板１１７は木製合板やアクリルボードで構成される。打面板１１７を皿ネジ１１９により取り外し可能に取り付けることで、音調整装置１２０を箱体内に収容する作業が容易になり、また音調整装置１２０を搭載した後の弦の交換などの保守作業が容易になる。さらに打面板１１７を透明な板で構成することで、部品の消耗状態を外部から容易に確認することができるとともに、音調整装置１２０の構造を外部から視認できることによる意匠的な効果を醸し出すこともできる。
【００２１】
音調整装置１２０は、箱体１１０の上面板１１１と底面板１１３との間に弦１２１a、１２１bを張設して固定する一対の固定部１２３、１２５及び固定部１２３、１２５によって張設した弦１２１a、１２１bを打面板１１７に対して密接させて支持する支持部１２８を備える。支持部１２８はビス１２９により固定部１２５に固定される。弦１２１a、１２１bは後述するように、弦１２１a、１２１bを両端から引っ張って打面１１７に接触する方向又は離接する方向に移動する。このとき支持部１２８により弦１２１a、１２１bが打面１１７と密接するように支持されているため、弦１２１a、１２１bが両端から引っ張られると支持部１２８を支点として弦１２１a、１２１bが相反する方向に引っ張られ、弦１２１a、１２１bに張力を加えることができる。
【００２２】
弦１２１a、１２１bの種類としてはギターの弦に使用されるワイヤー状のものや、スネアドラムの裏側に使用されるスナッピー状のものを用いることができる。図示例では弦１２１a、１２１bがそれぞれ３本の弦の組み合わせにより構成されているが、弦１２１a、１２１bを構成する弦の本数は１本でもよく、またより多くの本数であってもよい。また図示例では２組の弦１２１a、１２１bを設けているが、１組の弦でもよく、またより多くの弦を組み合わせてもよい。
【００２３】
固定部１２３、１２５はそれぞれ打面板１１７と直交する方向に開口を有する複数のセルに分割され、固定部１２３にはセル１２３a&#12316;１２３dが形成され、固定部１２５にはセル１２５a&#12316;１２５fが形成される。図示例では固定部１２３に設けられたセル１２３aと固定部１２５に設けられたセル１２５bとの間に弦１２１aが張設され、固定部１２３に設けられたセル１２３dと固定部１２５に設けられたセル１２５eとの間に弦１２１bが張設されている。セルの数は使用する弦の組（本実施形態では２組）や後述する突起部の数に応じて適宜変えることができる。
【００２４】
また固定部１２３のセル１２３bに突起部１２７aが設けられ、同様に固定部１２３のセル１２３cに突起部１２７bが設けられている。突起部１２７a、１２７bはゴム等の弾性材料で構成されている。後述するように弦１２１a、１２１bは打面１１７に対して直交する方向に移動して打面１１７と密接させることができる。弦１２１a、１２１bが打面１１７により密接する方が好ましいが、打面１１７を叩打したときなど弦１２１a、１２１bが必要以上に打面１１７に接触しないように、突起部１２７a、１２７bを設けている。弦１２１a、１２１bの径に応じて弦１２１a、１２１bと打面１１７との密接状態を変える必要があるため、突起部１２７a、１２７bは弦１２１a、１２１bと同様、打面板１１７に対してほぼ直交する方向にスライドさせることができる。
【００２５】
なお突起部１２７a、１２７bが接触している部分の打面は、他の打面に比べて多くの張力が加わっているため、突起部１２７a、１２７bが接触している部分の打面と他の打面とでは叩打したときの音が異なる。よって突起部１２７a、１２７bをスライドさせて打面１１７を押圧する強さを変えることにより、打面１１７を叩打したときの音を調整することもできる。なお本実施の形態において「密接」とは、弦と打面とが接触している状態及び打面の振動が弦に伝達する程度の近接状態を意味する。
【００２６】
図２は打楽器１００の背面構造を示す斜視図である。背面板１１９のほぼ中央付近にはサウンドホールと称する音出力用の開口２１１が設けられており、背面板１１９の上面板１１１側付近には、図１に示した弦１２１a、１２１bの張力を調整して打面板１１７に接触又は離接させるための操作ノブ２１３a、２１３dが設けられ、突起部１２７a、１２７bを打面板１１７に押圧するための操作ノブ２１３b、２１３cが設けられている。背面板１１９の底面板１１３側付近には、図１に示した弦１２１a、１２１bに張力を加えるための操作ノブ２１３e、２１３fが設けられている。
【００２７】
以下、図３及び図４を参照して弦１２１a、１２１bの動きについて説明する。なお図示例では弦１２１aのみを示しているが、弦１２１bについても弦１２１aと同様の動きを実現することができる。以下の説明において、固定部１２３にはスライド部３１０aから３１０dが設けられ、各スライド部にはナット３１１aから３１１dが埋設され、各ナットにはボルト３１３aから３１３dが螺合しており、各ボルトには操作ノブ２１３aから２１３dが取り付けられ、固定部１２５にはスライド部３１３e、３１３fが設けられ、 各スライド部にはナット３１１e、３１１fが埋設され、各ナットにはボルト３１３e、３１３fが螺合し、 各ボルトには操作ノブ２１３e、２１３fが取り付けられているものとして説明する。
【００２８】
弦１２１aの両端は、それぞれ固定部１２３の中空内部を打面板１１７と直交する方向にスライドするスライド部３１０aと、固定部１２５の中空内部を打面１１７と直交する方向にスライドするスライド部３１０eにそれぞれ固定されている。スライド部３１０aは箱体１１０の上面板１１１に取り付けられた固定部１２５aに形成されたセル内に収容され、スライド部３１０eは箱体１１０の下面板１１３に取り付けられた固定部１２５に形成されたセル内に収容される。
【００２９】
一端に弦１２１aが取り付けられたスライド部３１０aの他端には、ナット３１１aが埋設される。一端に弦１２１aが取り付けられたスライド部３１０eの他端には、ナット３１１eが埋設されている。各ナットの厚さは、スライド部のスライド範囲に応じて適宜設計され、各ナットに刻設されるネジのピッチは、スライド部のスライド精度に応じて適宜設計される。各スライド部に埋設されたナットには、それぞれボルトが螺合し、一端がナットと螺合するボルトの他端には、それぞれ背面板１１９を貫通した状態で操作ノブ２１３aから２１３fが取り付けられている。
【００３０】
操作ノブを回転操作すると、ボルトが回転し、これによりスライド部が図中矢印方向にスライドする。本実施の形態では、操作ノブが一回転する毎にスライド部がそれぞれ１ミリメートルの範囲でスライドするようにボルト及びナットのネジピッチを設計している。  スライド部３１０a、３１０eがスライドすることにより、スライド部３１０a、３１０eに取り付けられた弦１２１aが打面１１７から離接する方向に引っ張られる。しかし、箱体１１０の底面板１１３側に設けられた固定部１２５には、支持部１２８により弦１２１aが一定の位置に支持されているため、支持部１２８を支点に弦１２１aに張力が加わることになる。
【００３１】
弦１２１aに加える張力は主としてスライド部３１０eがスライドする距離に応じて変えることができ、多くの張力を加えたり、少ない張力を加えるなどして弦１２１aの張力を変えるとともに、弦１２１aと打面１１７との距離を変えて、打面１１７を叩打したときに発生する音の質を操作ノブ２１３a、２１３eの回転操作により調整することができる。本実施の形態ではスライド部をアルミニウムで構成し、各スライド部が固定部のセル内部を自在にスライドできるようにしている。スライド部の移動方向と弦の状態を表１に示す。
【００３２】
【表１】
2011008040.tif 000003
【００３３】
表１に示すように、スライド部を前方に移動させると、弦が打面に密接した状態で弦を弛緩させたり緊張させたりすることができる。またスライド部を後方に移動させると、弦が打面から離接した状態で弦を弛緩させたり緊張させたりすることができる。
【００３４】
図３及び図４に示した構成では、固定部１２３、１２５にそれぞれスライド部を設け、弦１２１aを両端から引っ張る場合を示している。この構成では、固定部１２３のスライド部は主として弦を打面から離接又は密接させるために機能し、支持部１２８を有する固定部１２５のスライド部１２５は、主として弦を緊張又は弛緩させたりするために機能する。そして主として弦を密接又は離接させるために固定部１２３のスライド部がスライドする距離を本実施形態では約４mmに設定し、主として弦を緊張又は弛緩さでるために固定部１２５のスライド部がスライドする距離を本実施形態では約１０mmに設定するため、固定部１２３のスライド部に螺合するボルトを固定部１２５のスライド部に螺合するボルトの長さよりも短くしている。
【００３５】
なお固定部１２３、１２５の何れか一方にのみスライド部を設け、弦１２１aを一端でのみ引っ張るようにすることもできる。例えば、固定部１２５のスライド部のみをスライドさせて弦に張力を加えることができる。この場合、支持部１２８を打面１１７を叩打する部分以外に設けて弦を支持するようにし、ある程度の長さの弦が打面と密接するようにする。
【００３６】
固定部１２５に設けた支持部１２８は、分割された状態で複数のブロックとして配置されている。弦１２１aの径に応じて支持部１２８と打面板１１７との距離を変える必要があるが、
径の異なる弦を用いる場合、用いる弦に応じてそれぞれの支持部１２８を移動し、支持部１２８と打面板１１７との距離を変えて密接状態を調整することができる。箱体１１０の上面板１１１側に設けられた固定部１２３に設けたセルの内部をスライドするスライド部３１０aをスライドさせることにより、弦１２１aと打面板１１７との密接量を変えることができる。固定部１２３のセル内をスライドするスライド部３１０aが固定部１２３から露出できる空間を打面１１７と固定部１２３との間に確保し、固定部１２３から露出するスライド部１１７の端部を打面板１１７に密接させることができるように、打面板１１７と固定部１２３との間には一定の空隙が設けられている。
【００３７】
箱体１１０の上面板１１１側に設けた固定部１２３のセル内をスライドするスライド部３１０aを操作ノブ２１３aの回転操作によりスライドさせ、底面板１１３側に設けた固定部１２５のセル内をスライドするスライド部３１０eを操作ノブ２１３eの回転操作によりスライドさせる。同様に、固定部１２３のセル内をスライドするスライド部１２３dを操作ノブ２１３dの回転操作によりスライドさせ、固定部１２５のセル内をスライドするスライド部１２３fを操作ノブ２１３fの回転操作によりスライドさせる。これにより弦１２１a、１２１bと打面板１１７とが密接した状態から離接した状態までを実現することができる。
【００３８】
スライド部には複数本の弦が取り付けられているため、複数本の弦の張力調整を１つの操作ノブの回転操作により行うことができるさらにスライド部に埋設したナットとボルト３１３とを螺合させているため、スライド部を任意の位置で位置決めし続けることができる。またボルトの回転運動でスライド部を直線移動させるため、スライド部がスライドする範囲を任意に決めることができる。またボルトとナットの螺刻ピッチを変えることでスライドピッチを任意に決めることができる。
【００３９】
以下、図５を参照して箱体１１０の上面板１１１側に設けられた固定部１２３のセル内に設けられた突起部１２７a、１２７bの動きについて説明する。なお図示例では突起部１２７aの動きを示しているが、突起部１２７bも同様の動きを実現することができる。図中（A）は突起部１２７aが打面板１１７を押圧している状態を示す図、図中（B）は突起部１２７aが打面板１１７を押圧していない状態を示す図である。突起部１２７aは箱体１１０の上面板１１１に取り付けられた固定部１２３に設けられたセル内に収容されるスライド部３１０bの一端に取り付けられている。スライド部３１０bの他端にはナット３１１bが埋設されており、一端がナット３１１bと螺合するボルト３１３bの他端には箱体１１０の背面を貫通した状態で操作ノブ２１３bが取り付けられている。
【００４０】
操作ノブを回転操作すると、ボルトが回転し、これによりスライド部が図中矢印方向にスライドする。本実施の形態では、操作ノブが一回転する毎にスライド部が１ミリメートルの範囲でスライドするようにボルト及びナットのネジピッチを設計している。スライド部がスライドすることにより、スライド部に取り付けられた突起部が打面板１１７に接触し（図中（A））又は離接する（図中（B））。
【００４１】
これにより突起部が接触している部分の打面の張力を打面の他の部分に比べて大きくすることができる。操作ノブを回転操作しながら、突起部が打面板を押す力を大きくすることで、打面を叩打したときの音の質を変えることができる。突起部の材料は種々考えられるが、ゴムなどの弾性部材にすることで打面板と良好な接触状態を実現することができる。一方、突起部を金属、木材、プラスチック等で構成すると、打面板に接触する突起部も振動させることができ、和音を発生させることもできる。
【００４２】
以上説明した実施の形態では、突起部と弦とを独立してスライドさせる構成について説明したが、突起部と弦とを同時にスライドさせるようにしてもよい。図６は弦が接続されるスライド部と突起部が設けられるスライド部とを共通にし、１つのスライド部に弦と突起部とを設けるようにした構成を示している。
【００４３】
図６に示すように、固定部１２３のセル１２３a内をスライドする図示しないスライド部に弦１２１aを接続するとともに突起部１２７cを設け、固定部１２３のセル１２３d内をスライドする図示しないスライド部に弦１２１bを接続するとともに突起部１２７dを設け、弦が接続されるスライド部と突起部が接続されるスライド部を共通にする。図示例では固定部１２３を別体に設けたが、図１に示したように１つの固定部としてもよい。
【００４４】
突起部１２７c、１２７dと弦１２１a、１２１bとを同時に動かす構成にすることで、突起部１２７c及び弦１２１a並びに突起部１２７d及び弦１２１bをそれぞれ背面板に設けた一つの操作ノブでスライドさせることができる。さらに、 突起部１２７a、１２７bの突出高さを調整し、弦１２１a、１２１bが打面１１７に接触する寸前に突起部１２７a、１２７bが打面１１７に接触するように設けることで、人為的な操作により必要以上に弦１２１a、１２１bと打面１１７とが密接することを防ぐことができる。
【００４５】
また図７に示すように、弦１２１a、１２１bが接続されるスライド部とは独立しスライドするスライド部に突起部１２７a、１２７bを設けた構成と、図６に示した構成とを組み合わせることにより、 人為的な操作により必要以上に弦１２１a、１２１bと打面１１７とが密接することを防ぐことができるとともに、突起部１２７a、１２７bのみが設けられたスライド部をスライドさせて打面１１７を押すことにより、打面１１７の張力を部分的に変えることができる。
【００４６】
以上説明した実施の形態では、弦を箱体の上面板から底面板にかけて張設した場合について説明したが、箱体の側面間にかけて張設するようにしてもよい。さらに、張設する弦の数は二組に限らず、一組若しくは三組以上でも構わない。同様に、突起部の数も２つに限らず、１つ若しくは３つ以上でも構わず、箱体の底面部に設ける他、上面部及び底面部に設けてもよい。また弦や突起部の数に応じて箱体の上面板側及び底面板側に取り付ける固定部を交換するなどして、種々の組み合わせに対応することができる。また、実施の形態では固定部１２３、１２５内に設けたスライド部により弦１２１a、１２１bを両端から引っ張る場合について説明したが、弦１２１a、１２１bの一方のみを引っ張るようにしてもよい。
【符号の説明】
【００４７】
１００  打楽器
１１０  箱体
１１１  上面板
１１３  底面板
１１５  側面板
１１７  打面板
１１９  背面板
１２０  音調整装置
１２１a、１２１b  弦
１２３、１２５  固定部
１２７a&#12316;１２７d  突起部
１２８  支持部
１２９  ビス
２１１  開口
２１３a&#12316;２１３f  操作ノブ
３１０a&#12316;３１０f  スライド部  
３１１a&#12316;３１１f  ナット
３１３a&#12316;３１３f  ボルト
【図１】
2011008040.tif 000004
【図２】
2011008040.tif 000005
【図３】
2011008040.tif 000006
【図４】
2011008040.tif 000007
【図５】
2011008040.tif 000008
【図６】
2011008040.tif 000009
【図７】
2011008040.tif 000010
【手続補正書】
【提出日】平成21年6月29日(2009.6.29)
【手続補正１】
【補正対象書類名】明細書
【補正対象項目名】００２３
【補正方法】変更
【補正の内容】
【００２３】
固定部１２３、１２５はそれぞれ打面板１１７と直交する方向に開口を有する複数のセルに分割され、固定部１２３にはセル１２３aから１２３dが形成され、固定部１２５にはセル１２５aから１２５fが形成される。図示例では固定部１２３に設けられたセル１２３aと固定部１２５に設けられたセル１２５bとの間に弦１２１aが張設され、固定部１２３に設けられたセル１２３dと固定部１２５に設けられたセル１２５eとの間に弦１２１bが張設されている。セルの数は使用する弦の組（本実施形態では２組）や後述する突起部の数に応じて適宜変えることができる。
【手続補正２】
【補正対象書類名】明細書
【補正対象項目名】００４７
【補正方法】変更
【補正の内容】
【００４７】
１００  打楽器
１１０  箱体
１１１  上面板
１１３  底面板
１１５  側面板
１１７  打面板
１１９  背面板
１２０  音調整装置
１２１a、１２１b  弦
１２３、１２５  固定部
１２７aから１２７d  突起部
１２８  支持部
１２９  ビス
２１１  開口
２１３aから２１３f  操作ノブ
３１０aから３１０f  スライド部  
３１１aから３１１f  ナット
３１３aから３１３f  ボルト